(57)【要約】【課題】良好な表示機能を有する導光板表示装置を提供する。【解決手段】本発明は、複数セグメント５１が設けられた導光板１と、導光板１の外周端面に、各セグメント５１にそれぞれ対応して配置された複数の光源４とを備え、いずれかの光源４から照射されて導光板１内に入射する光Ｌによって、対応するいずれかのセグメント５１が発光して所定の表示パターンが発光表示されるようにした導光板表示装置を対象とする。導光板１の外周端面のうち、光源４からの光Ｌが入射する部分を入光部３５、それ以外の部分を非入光部３６としたとき、非入光部３６の少なくとも一部が、導光板１の発光面に対し直角以外の角度で傾斜し、かつ導光板１の外周縁に沿って凹凸が繰り返し形成された凹凸傾斜面６に形成されている。【選択図】図２Ａ
2019128537.tif 000002
【特許請求の範囲】
【請求項１】
複数セグメントが設けられた導光板と、前記導光板の外周端面に、各セグメントにそれぞれ対応して配置された複数の光源とを備え、いずれかの光源から照射されて前記導光板内に入射する光によって、対応するいずれかのセグメントが発光して所定の表示パターンが発光表示されるようにした導光板表示装置であって、
前記導光板の外周端面のうち、前記光源からの光が入射する部分を入光部、それ以外の部分を非入光部としたとき、前記非入光部の少なくとも一部が、前記導光板の発光面に対し直角以外の角度で傾斜し、かつ前記導光板の外周縁に沿って凹凸が繰り返し形成された凹凸傾斜面に形成されていることを特徴とする導光板表示装置。
【請求項２】
前記導光板は、正面視において略矩形状に形成され、その両側端面が前記非入光部として構成されている請求項１に記載の導光板表示装置。
【請求項３】
前記凹凸傾斜面における前記発光面に対する傾斜角度が３０°〜６０°に設定されている請求項１または２に記載の導光板表示装置。
【請求項４】
前記凹凸傾斜面は、Ｖ字状の凹凸を有している請求項１〜３のいずれか１項に記載の導光板表示装置。
【請求項５】
前記凹凸傾斜面におけるＶ字状の凸部先端の内角が３０°〜９０°に設定されている請求項４に記載の導光板表示装置。
【発明の詳細な説明】
【技術分野】
【０００１】
この発明は、導光板を用いて表示パターンを表示するようにした７セグメント表示器等の導光板表示装置に関する。
【背景技術】
【０００２】
従来、個別に点灯、消灯可能な７つのセグメントが設けられ、７つのセグメントのうちいくつかのセグメントを点灯することによってアラビア数字等の表示パターンを発光表示するようにした７セグメント表示器としての導光板表示装置は周知である。
【０００３】
例えば下記特許文献１には、表示パターンを形成するための複数のセグメントが設けられた導光板と、導光板の端面における各セグメントに一対一で対応して配置された複数のＬＥＤ等の光源とを備えている。さらに導光板の裏面側には、各セグメントに対応して光を前方に反射する反射手段が設けられている。そして発光表示したい特定のセグメントに対応する光源を点灯して光源からの光を導光板内に入射させて、その入射光を特定のセグメントに対応する反射手段によって前方に反射させることによって、特定のセグメントのみを発光させる。こうして特定のセグメントを発光させることにより、表示パターンを発光表示するようにしている。
【先行技術文献】
【特許文献】
【０００４】
【特許文献１】特開２０１７−４１３８６号
【発明の概要】
【発明が解決しようとする課題】
【０００５】
上記特許文献１に示す従来の７セグメント表示器においては、光源から導光板内に入射した多くの光は、特定の反射手段によって反射して特定のセグメントを発光させるものの、一部の光は特定の反射手段を通過して導光板の端面に到達する。さらに導光板の端面に到達した光のうち一部の光は、導光板端面を透過して外部に放射される一方、残りの光は導光板端面で反射して導光板の内部に向かう。このように導光板内で繰り返し反射された一部の光は、導光板内において予期しない方向に進み、想定外の適当な反射手段によって反射して、不用意にも特定外のセグメントがぼんやりと発光してしまう。このように特定外のセグメントが発光すると、発光部のコントラストが弱くなり、視認性が低下してしまい、表示パターンが読み取れなくなる等、良好な表示機能が得られないという課題があった。
【０００６】
この発明は、上記の課題に鑑みてなされたものであり、表示パターンの視認性を向上できて、良好な表示機能を有する７セグメント表示器等の導光板表示装置を提供することを目的とする。
【課題を解決するための手段】
【０００７】
上記課題を解決するため、本発明は、以下の手段を備えるものである。
【０００８】
［１］  複数セグメントが設けられた導光板と、前記導光板の外周端面に、各セグメントにそれぞれ対応して配置された複数の光源とを備え、いずれかの光源から照射されて前記導光板内に入射する光によって、対応するいずれかのセグメントが発光して所定の表示パターンが発光表示されるようにした導光板表示装置であって、
前記導光板の外周端面のうち、前記光源からの光が入射する部分を入光部、それ以外の部分を非入光部としたとき、前記非入光部の少なくとも一部が、前記導光板の発光面に対し直角以外の角度で傾斜し、かつ前記導光板の外周縁に沿って凹凸が繰り返し形成された凹凸傾斜面に形成されていることを特徴とする導光板表示装置。
【０００９】
［２］前記導光板は、正面視において略矩形状に形成され、その両側端面が前記非入光部として構成されている前項１に記載の導光板表示装置。
【００１０】
［３］前記凹凸傾斜面における前記発光面に対する傾斜角度が３０°〜６０°に設定されている前項１または２に記載の導光板表示装置。
【００１１】
［４］前記凹凸傾斜面は、Ｖ字状の凹凸を有している前項１〜３のいずれか１項に記載の導光板表示装置。
【００１２】
［５］前記凹凸傾斜面におけるＶ字状の凸部先端の内角が３０°〜９０°に設定されている前項４に記載の導光板表示装置。
【発明の効果】
【００１３】
発明［１］の導光板表示装置によれば、導光板の外周端面における非入光部が、発光面に対し傾斜し、かつ凹凸を有する凹凸傾斜面によって形成されているため、導光板内に入射した光のうち所定のセグメントを通過した光が、外周端面の凹凸傾斜面に到達した際に、凹凸面によって光が多様な方向に反射ないし屈折して散乱するととともに、傾斜面によってＺ方向に反射ないし屈折するようになる。このため導光板の内部に戻るような光の反射が抑制されて、光が凹凸傾斜面を透過して効率良く導光板の外部に放射されるため、導光板内部に、予期できない余剰の光が残存するのを抑制できて、その余剰の光による特定外のセグメントが発光するような不具合を有効に防止することができる。従って所望のセグメントのみを確実に発光できて、コントラストが強くなり、視認性を向上できて良好な表示機能を得ることができる。
【００１４】
発明［２］〜［５］の導光板表示装置によれば、上記の効果をより確実に得ることができる。
【図面の簡単な説明】
【００１５】
【図１】図１はこの発明の実施形態である７セグメント表示器の基本構造を説明するための斜視図である。
【図２Ａ】図２Ａは実施形態の７セグメント表示器における前導光板周辺を示す正面図である。
【図２Ｂ】図２Ｂは実施形態の７セグメント表示器における後導光板周辺を示す正面図である。
【図３】図３は実施形態の導光板における側端面の凹凸傾斜面を拡大して示す図である。
【図４】図４は実施形態の導光板の側端面における発光面に対する傾斜角度を説明するための概略断面図であって、図（ａ）は前導光板の側端面周辺の概略断面図、図（ｂ）は後導光板の側端面周辺の概略断面図である。
【図５】図５は本発明における凹凸傾斜面の第１変形例を説明するための図である。
【図６】図６は本発明における凹凸傾斜面の第２変形例を説明するための図である。
【図７】図７は導光板における側端面に対する光の投射角を説明するための正面図である。
【図８】図８は両側端面が発光面に対し垂直に形成された参考例としての導光板の問題点を説明するための正面図である。
【図９】図９は実施例１〜５および比較例１，２の導光板における側端面に対する投射角と側端面の透過率との関係を示すグラフである。
【図１０】図１０は実施例６，７の導光板における側端面に対する投射角と側端面の透過率との関係を示すグラフである。
【図１１】図１１は比較例３〜５の導光板における側端面に対する投射角と側端面の透過率との関係を示すグラフである。
【発明を実施するための形態】
【００１６】
図１はこの発明の実施形態である導光板表示装置としての７セグメント表示器の基本構造を説明するための概略斜視図、図２Ａは実施形態の７セグメント表示器における前導光板周辺を示す正面図、図２Ｂは後導光板周辺を示す正面図である。
【００１７】
これらの図に示すように、本実施形態の７セグメント表示器は、３桁の数字としての３つの表示パターンを発光表示できるように構成されており、前後に重なり合うように配置される前導光板１および後導光板２を備えている。
【００１８】
本実施形態の７セグメント表示器は、３つの表示パターンを形成するための３つの発光表示部５を有している。各発光表示部５は、数字の「８」の形態を有する７つのセグメント５１によって構成されている。７つのセグメント５１のうち、横方向（横軸方向）に延びる３つのセグメント５１は前導光板１に形成されているとともに、縦方向（縦軸方向）に延びる４つのセグメント５１は後導光板２に形成されている。
【００１９】
各セグメント５１は、導光板１，２の裏面側に形成された微細なドットパターンによって構成されており、後述するように導光板１，２に導入された光のうち、所定の方向から照射される光のみを前面側に反射して、セグメント５１を発光させるようにしている。本実施形態においては、セグメント５１を構成する微細なドットパターンによって反射手段が構成されている。
【００２０】
各導光板１，２は、上端面３１と、下端面３２と、両側端面３３とを有し、正面視において略矩形状に形成されている。
【００２１】
各導光板１，２の上端面３１には、導光板１，２の縦軸および横軸に対し傾斜する複数の入光部３５が複数形成されている。各入光部３５には、光源としての２個１組のＬＥＤ（発光ダイオード）４が集光レンズ４１を介して配置されている。なお本実施形態において導光板１，２の上端面３１のうち、入光部３５以外の部分は、非入光部３６として構成されている。
【００２２】
また各導光板１，２の下端面３２においても２個１組のＬＥＤ４が集光レンズ４１を介して複数配置されている。本実施形態において、各導光板１，２の下端面３２のうち、ＬＥＤ４および集光レンズ４１が配置されている部分は、入光部３５として構成されるとともに、それ以外の部分は、非入光部３６として構成されている。
【００２３】
また本実施形態においては、各導光板１，２の両側端面３３には、ＬＥＤ４等の光源が配置されておらず、両側端面３３の全領域が非入光部３６として構成されている。
【００２４】
各ＬＥＤ４は、所定のセグメント５１にそれぞれ対応して配置されており、いずれかのＬＥＤ４が点灯して導光板１，２内に入射した光Ｌは、導光板１，２内を通って当該ＬＥＤ４に対応する所定の反射手段に到達して前方に反射し、対応する所定のセグメント５１を発光させるように構成されている。
【００２５】
従って、本実施形態の７セグメント表示器は、いずれかのＬＥＤ４を点灯して、発光表示部５を構成するセグメント５１のうちいずれかのセグメント５１を発光させることによって、所望の数字や簡単な記号等の表示パターンを発光表示することができる。
【００２６】
ところで、本実施形態の７セグメント表示器においては後に詳述するが、両側端面３３に特別な加工が施されているのに対し、従来のごく一般的な構成の７セグメント表示器において、導光板の外周端面は導光板前面（発光面）に対し垂直面に構成されている。ここではまず、導光板端面が垂直面に形成されている場合の課題について説明する。
【００２７】
すなわち図８に示すように導光板１の両側端面３３が発光面に対し垂直な面に形成された７セグメント表示器において例えば、上端面３１に配置されるＬＥＤ４のうち、左から３番目のＬＥＤ４は、左端の発光表示部５の上端のセグメント（左上端のセグメント）５１に対応するものであり、当該３番目のＬＥＤ４から導光板１内に入射した光Ｌは、対応する左上端のセグメント５１に到達して、反射手段によって反射して左上端のセグメント５１を発光させる。しかしながら同図破線に示すように一部の光Ｌは、反射手段によって反射せずに左上端のセグメント５１を通過して、導光板１の側端面３３に到達する。導光板１の側端面３３に到達した光Ｌのうち一部の光Ｌは、端面３３を透過して外部に放射される一方、残りの光Ｌは端面３３で反射して導光板１の内部に向かう。さらに内側に向かう光Ｌのうち一部の光Ｌは、導光板１の他の端面で反射して導光板１の内部に向かう。このように導光板１の内部で反射が繰り返される光Ｌは、予期しない方向に進み、想定外の適当な反射手段で反射して、特定外のセグメント５１を発光させてしまう。そうすると、発光予定のセグメント５１と、想定外に発光するセグメント５１とのコントラストが弱くなり、視認性が低下して、表示パターンが読み取れなくなる等、良好な表示機能が得られないという課題が発生する。
【００２８】
そこで本実施形態においては、以下に説明するような手段を用いて、導光板１，２の内部に残存する余剰の光Ｌが導光板１，２の端面で反射せず、導光板１，２外にスムーズに放射させるようにして、良好な表示機構を確保できるようにしている。
【００２９】
すなわち図２Ａ、図２Ｂおよび図３に示すように本実施形態の導光板１，２は、非入光部３６のうち両側端面３３が凹凸傾斜面６に形成されている。この凹凸傾斜面６は、導光板１，２の発光面（前面）に対し直角以外の角度で傾斜し、かつ両側端縁に沿って凹凸が繰り返し形成されるようなローレット面に形成されている。
【００３０】
本実施形態においては図４（ａ）（ｂ）に示すように、前導光板１の側端面３３は、後導光板２側に傾くような傾斜面に形成されるとともに、図４に示すように後導光板２の側端面３３は、前導光板１側に傾くような傾斜面に形成されて、互いに対向するように配置されている。
【００３１】
ここで本実施形態においては、導光板１，２の側端面３３における発光面（前面）に対する角度を、凹凸傾斜面６（端面）の傾斜角度θ１と称している。この傾斜角度θ１は、鋭角で表示しており、例えば図４（ａ）に示すように、前導光板１における傾斜角度θ１は、側端面３３と発光面（前面）との内角によって規定される一方、図４（ｂ）に示すように、後導光板２における傾斜角度θ１は、側端面と発光面（前面）との外角によって規定されている。
【００３２】
本実施形態において、導光板１，２の傾斜角度θ１を３０°〜６０°に設定するのが好ましい。この傾斜角度θ１が上記の好適範囲内に設定されている場合には、導光板１，２内の光Ｌが側端面に３３に到達した際に、多くの光Ｌを外部に透過させることができて、導光板１，２内に余剰の光Ｌが残存するのを抑制でき、良好な表示機能を確実に得ることができる。換言すると、傾斜角度θ１が大き過ぎたり、小さ過ぎる場合には、導光板１，２内の光Ｌが側端面に３３に到達した際に、光Ｌを導光板端面に十分に透過させることができず、内部に反射していまい、余剰の光Ｌを、導光板１，２外に効率良く放射させることが困難になり、良好な表示機能を得ることが困難になるおそれがある。
【００３３】
また本実施形態において、導光板１，２の側端面３３における凹凸傾斜面６は、ギザギザ状、鋸刃状、ギア歯状等、外周縁に沿って凹凸が繰り返し形成されたローレット面に形成されている。
【００３４】
本実施形態において、両側端縁に沿って凹凸が繰り返し形成されているというのは、両側端面３３の両側端縁が延びる方向（上下方向または縦軸方向）に沿って凹部と凸部が交互に繰り返し形成されているということである。
【００３５】
なお本発明においては後述するように、非入光部３６であれば、両側端面３３以外にも凹凸傾斜面６を形成することができる。例えば、導光板１，２の上端面３１および下端面３２の非入光部３６にも凹凸傾斜面６を形成することができ、この場合には、上端縁および下端縁に沿って、つまり上端縁および下端縁が延びる方向（左右方向または横軸方向）に凹部と凸部を交互に繰り返し形成することになる。
【００３６】
また図３に示すように本実施形態において、凹凸傾斜面６を構成する凹部および凸部は、Ｖ字状凸部およびＶ字状凹部に形成されており、凹凸傾斜面６は、いわゆるＶ字ローレット面（Ｖ波形面）に形成されている。
【００３７】
ここで本実施形態において、導光板端面３３におけるＶ字状凸部の先端の内角θ２（Ｖ字状凹部の底部の開き角度）を、３０°〜９０°に設定するのが良く、より好ましくは５０°〜７０°前後に設定するのが好ましい。また本実施形態においては、導光板側端面３３の凹凸傾斜面６における隣合う凹部の谷底間の間隔（ローレットピッチ）Ｐを５ｍｍ〜２０ｍｍに設定するのが良い。上記の内角θ２やローレットピッチＰが上記の好適範囲内に設定されている場合には、導光板１，２内の光Ｌが側端面に３３に到達した際に、光Ｌを外部に十分に透過させることができて、導光板１，２内での光反射の繰り返しを抑制でき、良好な表示機能を確実に得ることができる。換言すると、上記の内角θ２やローレットピッチＰが大き過ぎたり、小さ過ぎる場合には、導光板１，２内の光Ｌが側端面３３に到達した際に、光Ｌを外部に十分に透過させることができず、余剰の光Ｌを、十分に導光板１，２外に放射させることが困難になり、良好な表示機能を得ることが困難になるおそれがある。
【００３８】
なお本実施形態においては、導光板１，２の側端面３３を、Ｖ字ローレット面（Ｖ字状凹凸面）に形成する場合を例に挙げて説明したが、それだけに限られず、本発明においては、ローレット面の凹凸形状は特に限定されるものではない。例えば図５に示すように、ローレット面の凹凸形状を、半円状の凸部が並んで形成された凸円形状（凸円ローレット面）や、図６に示すように、ローレット面の凹凸形状を、半円状の凹部が並んで形成された凹円形状（凹円ローレット面）に形成するようにしても良い。
【００３９】
以上のように構成された本実施形態の７セグメント表示器においては、導光板１，２の両側端面３３が、ローレット加工された傾斜面である凹凸傾斜面（傾斜付ローレット面）６によって形成されているため、後述の実施例からも明らかなように導光板１，２内の光Ｌが側端面３３に到達した際に、側端面３３における凹凸面（ローレット面）によって光Ｌが多様な方向に反射ないし屈折して散乱するとともに、側端面３３における傾斜面によってＺ方向（導光板厚さ方向）に反射ないし屈折する。このため導光板１，２の内部に戻るような光Ｌの反射が抑制されて、光ＬがＺ方向に向かって側端面３３を透過して効率良く導光板外部に放射される。従って、導光板１，２の内部に、予期できない余剰の光Ｌが残存するのを抑制できて、その余剰の光Ｌによる特定外のセグメント５１が発光するような不具合を有効に防止することができる。その結果、所望のセグメント５１のみを確実に発光できて、コントラストが強くなり、視認性が向上して、表示パターンを確実に読み取れるようになり、良好な表示機能を得ることができる。
【００４０】
また本実施形態の７セグメント表示器においては、導光板端面の形状を加工することによって導光板１，２内での光反射を抑制するものであるため、導光板１，２を作製する工程と、導光板１，２内での光反射を抑制するための加工とを同一の工程で一度に行うことができる。つまり本実施形態の７セグメント表示器においては、導光板１，２内での光反射を抑制するために、導光板１，２の端面で光を吸収するような新たな加工、例えば導光板端面に黒色塗料を塗布したり、黒色テープを貼着するものではない。このため本実施形態の７セグメント表示器においては、導光板１，２内での光反射を抑制するための加工を、別途行う必要がなく、その分、加工数を削減できて、生産性の向上およびコストの削減を図ることができる。
【００４１】
なお上記実施形態においては、本発明の導光板表示装置を７セグメント表示器に適用した場合を例に挙げて説明したが、本発明は、導光板を用いた表示装置であれば、７セグメント表示器以外の表示器であっても適用することができる。例えば本発明は、セグメントが６つ以下または８つ以上のセグメント表示器等の導光板表示装置にも適用することができる。
【００４２】
また上記実施形態においては、導光板１，２の両側端面３３を、本発明特有の傾斜付ローレット面（凹凸傾斜面）６に形成する場合を例に挙げて説明したが、本発明においては、凹凸傾斜面６に形成する箇所は、両側端面だけに限定されるものではない。本発明においては、導光板１，２の外周端面のうち、光源（ＬＥＤ４）が配置されていない非入光部３６であれば、どの位置を凹凸傾斜面に形成するようにしても良い。例えば導光板１，２の上端面における入光部３５以外の部分（非入光部３６）や、導光板１，２の下端面における入光部３５以外の部分（非入光部３６）を、凹凸傾斜面に形成するようにしても良い。要は導光板１，２の外周端面の非入光部のうち少なくとも一部が凹凸傾斜面６に形成されていれば良い。
【００４３】
また本発明においては、導光板１，２の外周端面のうちの入光部３５は、必ずしも発光面に対し直角な垂直面に形成する必要はなく、発光面に対し傾斜する傾斜面に形成するようにしても良い。傾斜面とする場合には、光源からの光が効率良く入射できるように、発光面に対する傾斜角度（図４（ａ）（ｂ）のθ１参照）を３０°〜６０°に設定するのが好ましい。
【実施例】
【００４４】
本発明の効果を立証するために、以下に説明するようにコンピュータシミュレーションによって、本発明の要旨を含む実施例と、本発明の要旨を逸脱する比較例とを行った。
【００４５】
【表１】
2019128537.tif 000003
【００４６】
【表２】
2019128537.tif 000004
【００４７】
＜実施例１＞
表１に示すように上記実施形態に示す前導光板１に基づいて実施例１の導光板を準備した。この実施例１の導光板において、側端面３３としての凹凸傾斜面６は、傾斜角度θ１が６０°に形成されたＶ字ローレット面に形成されている。このＶ字ローレット面における先端凸部の内角θ２は６０°、ローレットピッチＰは１０ｍｍに設定した。
【００４８】
この構成の実施例１の導光板において、導光板内での側端面３３に対する光Ｌの投射角αと、側端面３３での透過率および反射率（反射率＝１００−透過率）との関係を測定した。その測定結果を表２に示す。
【００４９】
また図８に示すように投射角αとは導光板１の内部において、側端面３３に向かう光Ｌにおける側端面３３の法線（垂線）に対する角度である。さらに透過率および反射率は、側端面３３においてＺ方向（導光板厚さ方向）に透過する透過率および反射率である。
【００５０】
＜実施例２〜５＞
表１に示すように実施例２においては側端面３３の傾斜角度θ１を５０°に設定し、実施例３では４５°実施例４では４０°、実施例５では３０°にそれぞれ設定し、それ以下外は、上記実施例１と同様の導光板において、投射角αと、透過率および反射率との関係を測定した。その測定結果を表２に示す。
【００５１】
＜比較例１＞
【００５２】
【表３】
2019128537.tif 000005
【００５３】
表１に示すように側端面３３が垂直な平坦面、つまり傾斜角度θ１が９０°でローレット加工されていない導光板において、上記と同様に、投射角αと、透過率および反射率との関係を測定した。その測定結果を表３に示す。
【００５４】
＜比較例２＞
表１に示すように側端面が垂直（傾斜角度θ１＝９０°）で、実施例１と同様なＶ字ローレット加工された導光板において、上記と同様に、投射角αと、透過率および反射率との関係を測定した。その測定結果を表３に示す。
【００５５】
図９は上記実施例１〜５および比較例１，２の測定結果をグラフ化して示す図である。このグラフにおいて、実施例１〜５の結果は実線で示し、比較例１の結果は破線で示し、比較例２の結果は二点鎖線で示している。
【００５６】
この図９のグラフおよび表２に示すように、本発明の要旨を含む実施例１〜５の導光板においては、投射角αが５５°以降から徐々に透過率が低下していくものの、投射角αによる影響が少なく、全体として、透過率が高いため（反射率が低いため）、導光板内の余剰の光Ｌを効率良く導光板の外部に放射することができる。従って、余剰の光Ｌによる特定外のセグメントの発光を防止でき、良好な表示機能を得ることができる。
【００５７】
これに対し図９のグラフおよび表３に示すように、側端面が垂直な比較例１の導光板では、投射角αが４０°付近までは透過率が高くなっているが、それ以降は透過率が極端に低くなっている。このように実施例１〜５の導光板と比較して、比較例１の導光板では、投射角αの限られた範囲内でのみ透過率が高くなっており、全体として透過率が低く（反射率が高く）、導光板内の余剰の光Ｌを導光板の外部に効率良く放射することが困難である。
【００５８】
さらに側端面が垂直でＶ字ローレット面に形成された比較例２の導光板では、投射角αが２５°付近よりも低い部分や、投射角αが４０°を超える部分において、透過率が極端に低くなっている。このように実施例１〜５の導光板と比較して、比較例２の導光板では比較例１と同様、全体として透過率が低くなっており、導光板内の余剰の光Ｌを導光板の外部に効率良く放射することが困難である。
【００５９】
＜実施例６，７＞
【００６０】
【表４】
2019128537.tif 000006
【００６１】
表１に示すように側端面３３が、傾斜角度θ１＝６０°の凸円ローレット面（図５参照）に形成された導光板を実施例６の導光板とし、その導光板において、投射角αと、透過率および反射率との関係を測定した。その測定結果を表４に示す。
【００６２】
側端面３３が、傾斜角度θ１＝６０°の凹円ローレット面（図６参照）に形成された導光板を実施例７の導光板とし、その導光板において、投射角αと、透過率および反射率との関係を測定した。その測定結果を表４に示す。
【００６３】
図１０は上記実施例６，７の測定結果をグラフ化して示す図である。このグラフおよび表４に示すように、実施例６，７の導光板においても、図９のグラフに示す上記実施例１〜５の導光板と同様、全体として透過率が高くなっており、導光板内の余剰の光Ｌを効率良く導光板の外部に放射することができる。
【００６４】
＜比較例３〜５＞
【００６５】
【表５】
2019128537.tif 000007
【００６６】
表１に示すように側端面３３の傾斜角度θ１が６０°に設定された導光板（ローレット加工無し）を比較例３の導光板とし、さらに側端面３３の傾斜角度θ１が４５°に設定された導光板（ローレット加工無し）を比較例４の導光板とし、さらに側端面３３の傾斜角度θ１が３０°に設定された導光板（ローレット加工無し）を比較例５の導光板とし、各導光板において、投射角αと、透過率および反射率との関係をそれぞれ測定した。各測定結果を表５に示す。
【００６７】
図１１は上記比較例３〜５の測定結果をグラフ化して示す図である。このグラフに示すように、比較例３〜５のように、側端面３３が傾斜しているだけでローレット加工されていない導光板では、上記比較例１のように、側端面３３がローレット加工無しの垂直面に形成された比較例１の導光板とほぼ同様に、投射角αが３０〜４０°を超える部分において、極端に透過率が低くなっている。つまり側端面３３が傾斜しているだけでは、導光板内の余剰の光Ｌを効率良く導光板の外部に放射することは困難である。
【００６８】
以上の実施例からも明らかなように、本発明の要旨を含む実施例１〜７の導光板（導光板表示装置）においては、導光板内の余剰の光Ｌを効率良く導光板の外部に放射することができ、所定のセグメントのみを確実に発光させることができ、視認性を向上できて、良好な表示機能を得ることができる。
【産業上の利用可能性】
【００６９】
この発明の導光板表示装置は、アラビア数字等を発光表示する７セグメント表示器として好適に用いることができる。
【符号の説明】
【００７０】
１，２：導光板
３１：上端面（外周端面）
３２：下端面（外周端面）
３３：側端面（外周端面）
３５：入光部
３６：非入光部
４：ＬＥＤ（光源）
５１：セグメント
６：凹凸傾斜面
Ｌ：光
θ１：傾斜角度
【図１】
2019128537.tif 000008
【図２Ａ】
2019128537.tif 000009
【図２Ｂ】
2019128537.tif 000010
【図３】
2019128537.tif 000011
【図４】
2019128537.tif 000012
【図５】
2019128537.tif 000013
【図６】
2019128537.tif 000014
【図７】
2019128537.tif 000015
【図８】
2019128537.tif 000016
【図９】
2019128537.tif 000017
【図１０】
2019128537.tif 000018
【図１１】
2019128537.tif 000019